(57)【要約】【課題】無接点式リミットスイッチの提供。【解決手段】本考案の無接点式リミットスイッチは、電子センサー座と、制御座からなる。電子センサー座は、上座殻、定位片、電子センサーユニット、及び、下座殻、からなる。電子センサーユニットは定位片と上座殻と下座殻を接合してなる中空殻体内に嵌設され、中空殻体一側は貫通孔を設け、制御座の延伸部を設置する。制御座は、スリーブと、センサー定位部とからなり、スリーブは電子センサー座の貫通孔に穿設され、且つ、センサー定位部はセンサーー素子により触動源と接設される。上述の素子の組み合わせにより、上座殻と下座殻の接合でなる中空殻体と制御座が結合されてスイッチ本体となり、センサー素子一端は触動源を頂触し、電子センサーユニットの励磁感応により、火花の出ない触接を完成し、安全で無接点式制御スイッチを有する目的を達する無接点式リミットスイッチを提供する。  【選択図】    図３
0003131219.tif 000002
【実用新案登録請求の範囲】
【請求項１】
無接点式リミットスイッチであって、電子センサー座と、制御座からなり、
前記電子センサー座は、上座殻、定位片、電子センサーユニット、及び、下座殻、からなり、前記電子センサーユニットは前記定位片と前記上座殻と前記下座殻を接合してなる中空殻体内に嵌設され、前記中空殻体一側は貫通孔を設け、前記制御座のスリーブ部を設置し、前記電子センサーユニット一側はセンサーゲート、及び、表示ランプを有し、前記センサーゲートと前記下座殻の貫通孔は対応し、
前記制御座は、スリーブと、センサー定位部とからなり、前記スリーブは一端に軸環を有し、前記軸環内にピストンを設置し、前記軸環は前記電子センサー座の貫通孔に容設され、前記ピストンが前記電子センサー座の貫通孔を穿過し、前記電子センサーユニットのセンサーゲートと対応結合し、前記スリーブのもう一端はセンサー定位部を有し、前記センサー定位部と前記触動源は接設することを特徴とする無接点式リミットスイッチ。
【請求項２】
前記制御座のセンサー定位部は、定位ベアリング、定位ヨーク、嵌接素子、及び、センサー素子により構成され、前記定位ヨーク一端は前記定位ベアリングと頂触し、また、前記定位ベアリングと前記ピストンは触接し、前記定位ヨークのもう一端は嵌接素子を接設し、前記嵌接素子一端はセンサー素子を接設することを特徴とする請求項１に記載の無接点式リミットスイッチ。
【請求項３】
前記センサー定位部のセンサー素子は、ローラー、触頂棒、微動棒、頂錐、或いは、弾棒で、前記センサー素子と触動源と接設されることを特徴とする請求項２に記載の無接点式リミットスイッチ。
【請求項４】
前記制御座のスリーブは主に、前記触動源を発動させ、前記嵌接素子と前記定位ヨークの嵌設により、前記ピストンを直線移動させることを特徴とする請求項１に記載の無接点式リミットスイッチ。
【考案の詳細な説明】
【技術分野】
【０００１】
本考案は無接点式リミットスイッチに関し、電子センサー制御スイッチを利用し、センサー素子一端は触動源に頂触し、電子センサーユニットの励磁感応により、火花の出ない触接を完成すると共に、安全で、無接点式制御スイッチを有する目的を達する無接点式リミットスイッチに関する。
【背景技術】
【０００２】
接点式リミットスイッチは定位制御駆動の応用が主流となっており、公知の接点式リミットスイッチは多くが触片を有する接点スイッチにより電機装置の感応触動を制御し、微細な火花に敏感な化学工場、無塵室、或いは、可燃物製造工場等の工場での使用は細心の注意を払わねばならない。図１で示されるように、公知の触片式接点スイッチ１のハウジング内部は主に、伸縮ばね４により、二段式の触片３を弾き、それぞれ、信号接点２の導通を頂触する。触片３が往復作動する時、触接箇所の接点２は火花が生じやすく、また、触接箇所の接点２も使用頻度が多いと、接点２の損耗も激しく、生成される火花も大きくなり、制御スイッチ１の故障と損壊を招く。
【考案の開示】
【考案が解決しようとする課題】
【０００３】
本考案の目的は、電子センサー制御スイッチを利用し、センサー素子一端は触動源に頂触し、電子センサーユニットの励磁感応により、火花の出ない触接を完成し、安全な無接点式リミットスイッチを提供することにある。
【課題を解決するための手段】
【０００４】
本考案の無接点式リミットスイッチは、電子センサー座と、制御座からなる。
【０００５】
電子センサー座は、上座殻、定位片、電子センサーユニット、及び、下座殻、からなる。電子センサーユニットは定位片と上座殻と下座殻を接合してなる中空殻体内に嵌設され、中空殻体一側は貫通孔を設け、制御座の延伸部を設置する。
【０００６】
制御座は、スリーブと、センサー定位部とからなり、スリーブは電子センサー座の貫通孔に穿設され、且つ、センサー定位部はセンサーー素子により触動源と接設される。
【０００７】
上述の素子の組み合わせにより、上座殻と下座殻の接合でなる中空殻体と制御座が結合されてスイッチ本体となり、センサー素子一端は触動源を頂触し、電子センサーユニットの励磁感応により、火花の出ない触接を完成し、安全で無接点式制御スイッチを有する目的を達する無接点式リミットスイッチを提供する。      
【考案の効果】
【０００８】
本考案により、電子センサーユニットの励磁感応により、火花の出ない触接を完成し、安全な無接点式リミットスイッチが提供される。    
【考案を実施するための最良の形態】
【０００９】
図２、図３は本発明による無接点式リミットスイッチを示す図である。
【００１０】
本考案の無接点式リミットスイッチは、電子センサー座１０と、制御座２０からなる。
【００１１】
電子センサー座１０は、上座殻１００、定位片１０１、電子センサーユニット１０２、及び、下座殻１０３、からなる。電子センサーユニット１０２は定位片１０１と上座殻１００と下座殻１０３を接合してなる中空殻体内に嵌設され、中空殻体一側は貫通孔１０００を設け、制御座２０のスリーブの軸環と穿設され、電子センサーユニット１０２一側は、センサーゲート１０２０と表示ランプ１０２１を有し、また、センサーゲート１０２０と下座殻１００の貫通孔１０００は対応し、且つ、表示ランプ１０２１は主に、励磁感応の作動状態を表示する。
【００１２】
制御座２０は、スリーブ２００と、センサー定位部２０２とからなり、スリーブ２００は電子センサー座１０の貫通孔１０００に穿設され、スリーブ２００一端は軸環２０１を有し、軸環２０１内にピストン２０１０を設置し、軸環２０１は電子センサー座10の貫通孔１０００に容設され、ピストン２１０１が電子センサー座10の貫通孔１０００を穿過することにより、電子センサーユニット１０２のセンサーゲート１０２０と結合し、スリーブ２００もう一端にセンサー定位部２０２を接設し、センサー定位部２０２は定位ベアリング２０１１、定位ヨーク２０１２、嵌接素子２０１３、及び、センサー素子２０１４により構成される。定位ヨーク２０１２一端は定位ベアリング２０１１と頂触し、また、定位ベアリング２０１１とピストン２０１０は触接し、定位ヨーク２０１２のもう一端は嵌接素子２０１３を接設する。嵌接素子２０１３一端はセンサー素子２０１４を接設し、図６で示されるように、センサー素子２０１４はローラーA、A1、触頂棒B、微動棒C、頂錐D、或いは、弾棒E、E1で、センサー素子２０１４と触動源（図示しない）が接設され、スリーブ２００の主な功能は触動源の発動で、嵌接素子２０１３と定位ヨーク２０１２の嵌設により、ピストン２０１０を直線移動させ、センサー定位部２０２とスリーブ２００の嵌設結合により、制御座２０を形成する。
【００１３】
図４は、電子センサー座１０と制御座２０の結合の応用実施例を示す図で、触動源（図示しない）がセンサー素子２０１４を未頂触時（本例はローラーA）、嵌接素子２０１３一端が挟固する導鞘Pは、一端の平錐部P1が定位ヨーク２０１２を連接し、ばねSを緩めた状態に維持して、定位ベアリング２０１１を定位ヨーク２０１２のノッチ２０１２’に配置し、ピストン２０１０を不動に維持し、電子センサーユニット１０２一端の表示ランプ１０２１が消滅の状態を維持する。
【００１４】
図５で示されるように、触動源がセンサー素子２０１４を頂触する時、嵌接素子２０１３一端が挟固する導鞘Pは、一端の平錐部P1が定位ヨーク２０１２を連接し、ばねSを縮んだ状態に維持して、定位ベアリング２０１１を定位ヨーク２０１２のノッチ２０１２’から離し、定位ヨーク２０１２環面がピストン２１０１に頂触して、電子センサーユニット１０２のセンサーゲート１０２０に沿って移動し、電子センサーユニット１０２一端の表示ランプ１０２１が点灯の状態を維持すると共に、電子センサーユニット１０２の作動を励磁感応する。
【００１５】
本考案の新規性と実用性を分かりやすくするため、公知技術の比較分析する。
公知の欠点：
１．  
制御スイッチ接点触接時に火花が生成されやすい。
２．制御スイッチ接点で摩損しやすく、制御スイッチの使用寿命が減少する。
本考案の長所：
１．  
制御スイッチが磁力制御感応であり、火花が生成されず、安全である。
２．制御スイッチは無接点触接方式を採用し、制御スイッチの使用寿命と安定性を増加させる。
【図面の簡単な説明】
【００１６】
【図１】公知の触片式接点スイッチの立体外観図である。
【図２】本考案の構造分解図である。
【図３】本考案の立体外観図である。
【図４】本考案の電子センサー座と制御座の結合実施例（作動前）図である。
【図５】本考案の電子センサー座と制御座の結合実施例（作動後）図である。
【図６】本考案の制御座と各式センサー素子の結合外観図である。
【符号の説明】
【００１７】
1…制御スイッチ                
2..接点
3..触片                    
4..伸縮ばね
10..電子センサー座            
100..上座殻        
101..定位片
102..電子センサーユニット      103..下座殻
1000..貫通孔            
1020..センサーゲート
1021..表示ランプ
20..制御座            
200..スリーブ            
201..軸環
202..センサー定位部            
2010..ピストン          2011..定位ベアリング
2012..定位ヨーク            2013..嵌接素子
2014..センサー元件          2012`..ノッチ              
A..ローラー             
A1..ローラー
B..触頂棒              
C..微動棒
D..頂錐                
E..弾棒
E1..弾棒             
P..導鞘
P1..平錐部             
S..ばね
【図１】
0003131219.tif 000003
【図２】
0003131219.tif 000004
【図３】
0003131219.tif 000005
【図４】
0003131219.tif 000006
【図５】
0003131219.tif 000007
【図６】
0003131219.tif 000008